(57)【特許請求の範囲】
【請求項１】
筆記具または塗布具などのインキまたは塗布液を保蔵する中綿を収納するカートリッジであって、
中綿収納容器として一方が開放された容器状のカートリッジ軸と、該カートリッジ軸開放端部に嵌着して密閉するキャップとを有し、
カートリッジ軸とキャップの嵌着部に周方向に嵌着時に気密を保持するためのシール部を形成し、カートリッジ軸とキャップのいずれか一方にカートリッジ軸長手方向に突出する凸部を形成し他方に該凸部を案内するための逆台形のカム形状である凹部を形成して、
カートリッジ軸には閉鎖された底部から中央部にかけて軸方向に連続する第１のリブを複数周方向に配列形成して該第１のリブによって前記カートリッジ軸内で前記中綿がガタつきの無いように支持可能にすると共に、前記キャップには閉鎖された底部から開放部にかけて軸方向に連続する第２のリブを複数周方向に配列形成して該第２のリブによって前記キャップ内で前記中綿がガタつきの無いように挟持可能にし、
カートリッジ軸とキャップを相対回転させると前記凸部と凹部の斜面同士が摺動してキャップがカートリッジ軸の長さ方向に移動するようにすると共に、カートリッジ軸とキャップの一方または両方の外周面に掴んで回すときに滑りを少なくする凹凸部を軸方向に形成したことを特徴とする中綿収納用カートリッジ。
【発明の詳細な説明】
【０００１】
【発明の属する技術分野】
本発明は、筆記具または塗布具などのインキまたは塗布液を保蔵する中綿を収納するカートリッジ中綿収納用カートリッジに関する。
【０００２】
【従来の技術】
筆記具は、筆記具本体先端の筆記先端部あるいはペン先で紙面などの被筆記面にインキを乗せて筆記するものであるが、筆記先端部に供給するインキを筆記具本体軸筒内で貯蔵するインキ貯溜部には、インキを繊維体に染み込ませた中綿式のものとタンク内に生インキを保蔵する生インキ式のものとがある。
ここで、中綿式貯溜部には、インキを使い終った後に新しいインキカートリッジと交換する中綿交換構造のものがあり、その種の筆記具が中綿交換式筆記具と称される。中綿交換式筆記具では、筆記具本体軸筒の胴部がネジ結合しており、ネジを回して胴部を開け使用済みの中綿（カートリッジ）を取り出し、その後、未使用の中綿を胴部に装着・嵌着して胴部を閉じるようにしている。
【０００３】
このような中綿交換式筆記具では、未使用の中綿を密閉保管する容器（カートリッジ軸）を用いている。図５に示すように、中綿ａはカートリッジ軸ｂ内に収納されて、カートリッジ軸ｂ口元にキャップｃを嵌着して密閉している。中綿ａ交換時に、該キャップｃをカートリッジ軸ｂから外す際に、通常は長手方向にカートリッジ軸ｂからキャップｃを引っ張り、嵌合しているシール部ｄを開放し、キャップｃを外すようにしている。
ここで、カートリッジにおいては、カートリッジ軸またはキャップの一方に凸部を全周に設け、もう一方の平面部に嵌合当接させシールを行う。しかしながら、凸部と平面のシールでは時間の経過と共に密着力が塑性変形により低下したり、温度上昇による密閉された内部の気体の膨張によりキャップを浮かせる恐れがあるので、シール部の凸部または別の周方向の凸部と反対側の部品の周方向の凸部または凹部と嵌合時に抜け無いように、引っかかる部分を設けている。
【０００４】
【発明が解決しようとする課題】
しかしながら、密閉力を向上させるため、シール部ｄの嵌着を強くすると、その引っ張り力が大きくなり、勢いで軸内に保管されていた中綿が軸内より飛び出したり、インキが意図に反して飛散したりして手などに付く問題が生じる。
特にインキの溶剤には、温度変化によりカートリッジ内部の気体が大きく膨張して圧力変化が大きい種類のものがあり、この種類の溶剤のインキを用いた場合などには、シール部ｄの密着力を上げるだけでなく、その凹凸の引っ掛かり部の大きさも大きく取る必要があり、嵌合力を上げたために中綿が飛び出したり、インキが飛散する問題も起こりやすくなる。
【０００５】
本発明は、上記従来技術の問題点に着目してなされたもので、カートリッジ軸を密閉するキャップを引っ張ることなく緩やかにあけることができ、軸内に保管されている中綿が飛び出したり、インキが飛散したりすることを防止できる中綿交換式カートリッジを提供することを目的とする。
【０００６】
【課題を解決するための手段】
本発明は、筆記具または塗布具などのインキまたは塗布液を保蔵する中綿を収納するカートリッジであって、
中綿収納容器として一方が開放された容器状のカートリッジ軸と、該カートリッジ軸開放端部に嵌着して密閉するキャップとを有し、
カートリッジ軸とキャップの嵌着部に周方向に嵌着時に気密を保持するためのシール部を形成し、カートリッジ軸とキャップのいずれか一方にカートリッジ軸長手方向に突出する凸部を形成し他方に該凸部を案内するための逆台形のカム形状である凹部を形成して、
カートリッジ軸には閉鎖された底部から中央部にかけて軸方向に連続する第１のリブを複数周方向に配列形成して該第１のリブによって前記カートリッジ軸内で前記中綿がガタつきの無いように支持可能にすると共に、前記キャップには閉鎖された底部から開放部にかけて軸方向に連続する第２のリブを複数周方向に配列形成して該第２のリブによって前記キャップ内で前記中綿がガタつきの無いように挟持可能にし、
カートリッジ軸とキャップを相対回転させると前記凸部と凹部の斜面同士が摺動してキャップがカートリッジ軸の長さ方向に移動するようにすると共に、カートリッジ軸とキャップの一方または両方の外周面に掴んで回すときに滑りを少なくする凹凸部を軸方向に形成したことを特徴とする中綿収納用カートリッジである。
【０００７】
上記構成を有する本発明によれば、カートリッジキャップとカートリッジ軸を相対回転させることにより、突出した凸部とその案内の逆台形のカム形状である凹部にカム構造が機能を発揮し、カートリッジキャップがカートリッジ軸より開放される。この構造であれば、使用時にカートリッジキャップを開けてシール部を開放する際に、長手方向への軸を開放する力が直接働かず径方向に働くので、カートリッジ軸よりカートリッジキャップが開放され、これにより、中綿やその中のインキが飛び散ることが無い。
また、カートリッジ軸とキャップの一方または両方の外周面に掴んで回すときに滑りを少なくする凹凸部（例えば軸方向に沿って溝状あるいは山脈状に形成された凹凸部）を形成したことにより、使用時にカートリッジキャップを回転してカートリッジ軸より開放することが容易になり、また、凹凸部は視認できるので使用方法を認識し易い。
また、この構造であれば、少しの力で容易なキャップの開放ができるため、キャップの嵌合力を上げることが可能であり、径方向に突出した突起部を設けて部品の突起同士の乗り上げにより嵌合力を上げることが可能なる。したがって、カートリッジ内部の温度上昇や外部衝撃に対してキャップが外れてしまう可能性を低減できる。
【０００８】
【発明の実施の形態】
以下、図に基づき本発明の実施の形態を詳細に説明する。
図１（ａ）、（ｂ）は本発明の実施形態に適用する中綿交換式カートリッジの説明図、図２はカートリッジ軸の構成説明図、図３はキャップの説明図、図４はカートリッジ軸へのキャップ装着の説明図である。
【０００９】
実施形態の中綿交換式カートリッジは、図１〜図３に示すように、筆記具または塗布具などのインキまたは塗布液を保蔵する中綿１０を収納するカートリッジ１２であって、カートリッジ１２は、中綿収納容器として一方が開放された容器状のカートリッジ軸１４と、該カートリッジ軸１４開放端部１４ａに嵌着して密閉するキャップ１６とを有し、カートリッジ軸１４とキャップ１６の互いの嵌着部に周方向に嵌着時に気密を保持するためのシール部１４ｂとシール部１６ｂを形成し、一方のキャップ１６には長手方向に突出する凸部１８を形成し他方のカートリッジ軸１４には該凸部１８を案内するための凹部２０を形成して、カートリッジ軸１４とキャップ１６を相対回転させると前記凸部１８と凹部２０の斜面同士が摺動してキャップ１６がカートリッジ軸１４の長さ方向に移動するようにしたものである。
実施形態では、カートリッジ軸１４とキャップ１６のうちキャップの外周面に軸方向に延びる凹凸部２４を形成している。
【００１０】
詳細には、図１〜図３に示すように、前記中綿１０は円柱状の形状を有した繊維、多孔質体、スポンジ体等種々のものを使用できる。
カートリッジ軸１４は、図２に詳細を示すように、一端の閉鎖した概略円柱状を呈した容器であって、内周面部には、閉鎖された底部から中央部に掛けて軸方向に連続するリブ２６が複数周方向に配列されており、カートリッジ軸１４内でこのリブ２６によりガタつきの無いように中綿１０を支持できる。また、カートリッジ軸１４の開放端（１４ａ）内周面部には、前記の凹凸部１４ｂとして複数条の環状リブが内周方向に全周にわたり形成されている。更に、カートリッジ１４軸の開放端部の縁部には、概略逆台形状の切込みが前記凹部２０として形成されており、カム形状を呈している（（ｃ）のカム展開図に示す形状で凹部が形成されている）。
【００１１】
キャップ１６には、図３に示すように、一端の閉鎖した概略短円柱状を呈した容器であって、内周面部には、閉鎖された底部から開放部付近に掛けて軸方向に連続するリブ２８が複数周方向に配列されており、キャップ１６内でこのリブ２８によりガタつきの無いように中綿１０を挟持できる。また、キャップ１６の開放端１６ａ外周面部には、前記のシール部１６ｂとして嵌着用の環状リブが外周方向に全周にわたり形成されている。
更に、キャップ１６軸の開放端部１６ａの縁部には、概略台形状の突出した前記凸部１８として形成されており、カム形状を呈している（（ｅ）のカム展開図に示す形状で凸部１８が形成されている）。
【００１２】
上記構成を有する本実施形態によれば、図４に示すように、カートリッジ１２のキャップ１６とカートリッジ軸１４を相対回転させることにより、突出した凸部１８とその案内の凹部２０のカム構造が機能を発揮し、キャップ１６がカートリッジ軸１４より開放される。この構造であれば、使用時にカートリッジにおいて、キャップ１６を開けてシール部１４ｂ，１６ｂを開放する際に、長手方向への軸を開放する力が直接働かず径方向に働いて、カートリッジ軸１４よりカートリッジキャップが開放され、これにより、中綿１０やその中のインキが飛び散ることが無い。なお、カートリッジ１２を開放したときには、中綿を図４の（ａ）に示すようにキャップ１６側に残しても、（ｂ）のようにカートリッジ軸１４側に残しても良い。
【００１３】
なお、実施形態において、キャップの外周面に掴んで回すときに滑りを無くす凹凸部２４を軸方向に沿って形成したことにより、使用時にキャップ１６を回転してカートリッジ軸１４より開放することが容易になり、また、縦溝が明確であるので使用方法を認識し易い。
また、この構造であれば、少しの力で容易にキャップ１６の開放ができるため、キャップ１６のカートリッジ軸１４への嵌合力を上げることが可能であり、径方向に突出した突起部を設けて部品の突起同士の乗り上げにより嵌合力を上げることが可能なる。したがって、カートリッジ１２内部の温度上昇や外部衝撃に対してキャップ１６が外れてしまう可能性を低減できる。
【００１４】
なお、本発明は、中綿式筆記具のほか中綿式塗布具にも適用可能である。
【００１５】
【発明の効果】
以上説明したとおり、この発明によれば、中綿交換式カートリッジにおいて、カートリッジ軸を密閉するキャップを引っ張ることなく緩やかにあけることができ、軸内に保管されている中綿が飛び出したり、インキが飛散したりすることを防止できる。
【図面の簡単な説明】
【図１】本発明の実施形態に適用する中綿交換式カートリッジを説明する図であり、（ａ）は（ｂ）のＡ−Ａ線断面図、（ｂ）は側面図である。
【図２】カートリッジ軸の構成説明図であって、（ａ）は（ｂ）のＡ−Ａ線断面図、（ｂ）は側面図、（ｃ）は開放端から見た軸方向視図、（ｄ）はカム展開図である。
【図３】キャップの構成説明図であって、（ａ）は（ｂ）のＡ−Ａ線断面図、（ｂ）はキャップ全体側面図、（ｃ）はキャップ開放端から見た軸方向視図、（ｄ）はキャップ閉鎖端から見た軸方向視図、（ｅ）はカム展開図である。
【図４】カートリッジ軸へのキャップ装着の説明図であり、（ａ）はキャップをカートリッジ軸に対して相対回転させずに、中綿をキャップに残した例、（ｂ）は相対回転させてカートリッジ本体に中綿を残した例である。
【図５】従来の凹部および凸部のカム形状のない例であって、カートリッジ軸にキャップを装着した例の説明図である。
【符号の説明】
１０  中綿
１２  カートリッジ
１４  カートリッジ軸
１４ｂ  シール部
１６  キャップ
１６ｂ  シール部
１８  凸部
２０  凹部
２４  （滑り止めの）凹凸部
【図１】
0004812202.tif 000002
【図２】
0004812202.tif 000003
【図３】
0004812202.tif 000004
【図４】
0004812202.tif 000005
【図５】
0004812202.tif 000006